(57)【特許請求の範囲】
【請求項１】
被吊物が吊下げられる第１吊体と、該第１吊体から上方へ離隔した位置に配され、前記第１吊体と共に前記被吊物を吊下げる第２吊体及び該第２吊体を前記第１吊体に連結する連結体とを備え、
前記連結体は、前記第１吊体に回動を可能に保持された第１連結部材と、該第１連結部材にヒンジにより結合され、前記第１連結部材に対する接離方向に回動可能な第２連結部材とを有し、該第２連結部材に前記第２吊体が結合されていることを特徴とする吊具。
【請求項２】
前記第１連結部材は上下に長く、前記第２連結部材が収容される収容溝を有する請求項１記載の吊具。
【請求項３】
前記第２吊体は、該第２吊体の変形を可能とする可撓部を有する請求項１又は２に記載の吊具。
【発明の詳細な説明】
【技術分野】
【０００１】
本発明はフード付き衣服、タートルネックの衣服を形崩れが生じ難い状態で吊下げることが可能な吊具に関する。
【背景技術】
【０００２】
洗濯物、衣服等を吊すための吊具は、竿部材に引掛けられるフックと、該フックに結合されたフレームと、該フレームに取着された複数の挾み部材とを備える構成になっている（例えば、特許文献１参照。）。
【先行技術文献】
【特許文献】
【０００３】
【特許文献１】実開平７−３９７９６号公報
【発明の概要】
【発明が解決しようとする課題】
【０００４】
ところが、特許文献１のような従来の吊具は、洗濯物を掛止することができるフレームが、吊下げられる方向の一箇所にあり、この一箇所のフレームに上着等の比較的重い洗濯物が直接掛止されるように構成されているため、例えばフード付き衣服が吊具に吊下げられる場合、フード部を掛止することができず、該フード部は後身頃と重なるように垂れ下がり、フード部及び後身頃の乾きが悪いという問題があり、また、フード部が垂れ下がるため、衣服の形崩れを来すことになり、改善策が要望されていた。
【０００５】
本発明は斯かる事情に鑑みてなされたものであり、主たる目的はフード付き衣服が吊下げられる場合であっても、フード部をも掛止することができ、フード部を乾き易くすることができるとともに、フード部による衣服の形崩れを防ぐことができる吊具を提供することにある。
【課題を解決するための手段】
【０００６】
第１発明に係る吊具は、被吊物が吊下げられる第１吊体と、該第１吊体から上方へ離隔した位置に配され、前記第１吊体と共に前記被吊物を吊下げる第２吊体及び該第２吊体を前記第１吊体に連結する連結体とを備え、前記連結体は、前記第１吊体に回動を可能に保持された第１連結部材と、該第１連結部材にヒンジにより結合され、前記第１連結部材に対する接離方向に回動可能な第２連結部材とを有し、該第２連結部材に前記第２吊体が結合されていることを特徴とする。
【０００７】
第１発明にあっては、第１吊体の上方に第２吊体があり、フード付き衣服が第１吊体に掛止された際、フードを第２吊体に掛止することができるため、フード部を乾き易くすることができるとともに、フード部による衣服の形崩れを防ぐことができる。
【００１１】
また、第１連結部材を回動させることにより、第１吊体及び第２吊体間の寸法を変更することができ、第２連結部材をヒンジから回動させることにより、第１吊体及び第２吊体間の寸法をさらに変更することができ、換言すると第１吊体及び第２吊体間の寸法を２段階で変更することができるため、第２吊体を第１吊体により一層近付けて重ならせることができ、フードのない一般の被吊物を第１吊体に吊下げる際、第２吊体があることによる違和感をより一層緩和することができる。
【００１２】
第２発明に係る吊具は、前記第１連結部材は上下に長く、前記第２連結部材が収容される収容溝を有することを特徴とする。
第２発明にあっては、フードのない一般の被吊物を第１吊体に吊下げる際、第２連結部材を第１連結部材の収納溝内に収納し、連結体を簡素な形態に変えることができるため、被吊物を連結体に引掛かり難くすることができる。
【００１３】
第３発明に係る吊具は、前記第２吊体は、該第２吊体の変形を可能とする可撓部を有することを特徴とする。
第３発明にあっては、第２吊体を可撓部から曲げることにより、該第２吊体の連結体に対する出っ張り長さ、向き等を容易に変更することができるため、フードの大きさ及び形態が異なるフード付き衣服、タートルネック付き衣服であっても、フード部、タートルネック部の形崩れが生じ難い状態で吊下げることが可能である。
【発明の効果】
【００１４】
第１発明によれば、フード付き衣服が第１吊体に掛止された際、フードを第２吊体に掛止することができるため、フード部を乾き易くすることができるとともに、フード部による衣服の形崩れを防ぐことができる。
【００１８】
また、第１吊体及び第２吊体間の寸法を２段階で変更することができるため、第２吊体を第１吊体により一層近付けて重ならせることができ、フードのない一般の被吊物を第１吊体に吊下げる際、第２吊体があることによる違和感をより一層緩和することができる。
【００１９】
第２発明によれば、フードのない一般の被吊物を第１吊体に吊下げる際、第２連結部材を第１連結部材の収納溝内に収納し、連結体を簡素な形態に変えることができるため、被吊物を連結体に引掛かり難くすることができる。
【００２０】
第３発明によれば、第２吊体を可撓部から曲げることにより、該第２吊体の連結体に対する出っ張り長さ、向き等を容易に変更することができるため、フードの大きさ及び形態が異なるフード付き衣服、タートルネック付き衣服であっても、フード部、タートルネック部の形崩れが生じ難い状態で吊下げることが可能である。
【図面の簡単な説明】
【００２１】
【図１】本発明に係る吊具の第２吊体が使用されるときの形態を示す斜視図である。
【図２】本発明に係る吊具の第２吊体が使用されないときの形態を示す斜視図である。
【図３】本発明に係る吊具の形態が変わる過程を示す説明図である。
【図４】本発明に係る吊具の他の構成を示す一部を分解した斜視図である。
【図５】他の構成を示す吊具の第２吊体が使用されるときの形態を示す斜視図である。
【図６】他の構成を示す吊具の第２吊体が使用されないときの形態を示す斜視図である。
【発明を実施するための形態】
【００２２】
以下、本発明をその実施の形態を示す図面に基づいて詳述する。
実施の形態１
図１は吊具の第２吊体が使用されるときの形態を示す斜視図、図２は吊具の第２吊体が使用されないときの形態を示す斜視図、図３は吊具の形態が変わる過程を示す説明図である。
【００２３】
図に示した吊具は、衣服等の被吊物が直接掛止されて吊下げられる第１吊体１と、該第１吊体１の中央部に一端部が回動を自在に保持された杆状の連結体２と、該連結体２の他端部に結合されている杆状の第２吊体３と、該第２吊体３の中央部から外部へ突出するフック部４とを備える。
【００２４】
第１吊体１は、横方向に長い下杆部１ａ、及び該下杆部１ａの両端に屈曲部１ｂ，１ｂを経て連なる二つの上杆部１ｃ，１ｃを有し、各上杆部１ｃ，１ｃの先端同士が比較的短い寸法で対向する台形環状をなし、各上杆部１ｃ，１ｃの中央側先部が連結体２にて連結されている。各屈曲部１ｂ，１ｂの内側には下杆部１ａに対向するずれ防止片１１，１１が一体に設けられており、各上杆部１ｃ，１ｃの下側には上杆部１ｃ，１ｃに対向するずれ防止片１２，１２が一体に設けられている。
【００２５】
連結体２は、各上杆部１ｃ，１ｃの中央側先部に回動を自在に嵌合された嵌合筒部２１を一端部に有し、略Ｔ字形をなす第１連結部材２ａと、該第１連結部材２ａの他端部に枢軸２２にて回動を自在に連結された杆状の第２連結部材２ｂとを備え、第２連結部材２ｂの他端部が第２吊体３及びフック部４と一体に設けられている。
【００２６】
第１連結部材２ａは、Ｔ字の一辺に嵌合筒部２１が配され、Ｔ字の他辺に、周方向一側が長手方向に沿って窪む収容溝２３ａを有する杆部２３が配され、収容溝２３ａ内に第２連結部材２ｂを収容することが可能に構成されている。嵌合筒部２１及び杆部２３は一体に成形され、杆部２３の他端部には収容溝２３ａの対向壁を貫通する軸孔２３ｂが開設され、該軸孔２３ｂに枢軸２２が嵌入されている。尚、収容溝２３ａは嵌合筒部２１をラジアル方向へ貫通するように設けられており、また、枢軸２２及び軸孔２３ｂがヒンジを構成している。
【００２７】
第２連結部材２ｂの他端部にはラジアル方向へ突出する突出部２４を有し、該突出部２４に第２吊体３が結合され、第２連結部材２ｂが収容溝２３ａに収容されたとき、図２に示すように第２吊体３が第１吊体１の上杆部１ｃ，１ｃと重なるようになしてある。
【００２８】
第２吊体３は、可撓性を有する線状の金属製の芯材及び該芯材を被覆し、可撓性を有する被覆層により、第１吊体１の上杆部１ｃ，１ｃに対応する形態の杆状に形成されており、長手方向の中央部にはラジアル方向へ偏倚する偏倚部３１が設けられ、嵌合筒部２１との干渉を回避しており、また、偏倚部３１に第２連結部材２ｂの突出部２４が結合され、第２連結部材２ｂが収容溝２３ａに収容されたとき、第２吊体３が第１吊体１の上杆部１ｃ，１ｃに沿って配されるようになしてある。
【００２９】
以上のように構成された吊具は、台形環状をなす第１吊体１の上杆部１ｃ，１ｃに第１連結部材２ａの嵌合筒部２１が回動を自在に保持され、該第１連結部材２ａの他端部に第２連結部材２ｂが枢軸２２にて回動を可能に連結され、該第２連結部材２ｂの他端部に第２吊体３が結合されている。
【００３０】
フードのない一般の被吊物が吊下げられる場合、図２に示すように第１連結部材２ａが下杆部１ａ側へ回動され、該第１連結部材２ａの収容溝２３ａに第２連結部材２ｂが収容され、第２吊体３が第１吊体１の上杆部１ｃ，１ｃに沿って配され、第２吊体３が第１吊体１と重なっており、フック部４が上杆部１ｃ，１ｃの近傍から該上杆部１ｃ，１ｃの上側に配されている。よって、フードのない一般の被吊物を第２吊体３に邪魔されることなく第１吊体１に掛止して吊下げることができる。
【００３１】
フード付き被吊物が吊下げられる場合、図３に示すように第２連結部材２ｂが第１連結部材２ａの収容溝２３ａから抜き出されつつ、第１連結部材２ａが下杆部１ａから離隔する側へ回動され、図１に示すように第１連結部材２ａ及び第２連結部材２ｂが直杆状となり、第１吊体１及び第２吊体３間の寸法が長くなり、第２吊体３が第１吊体１と吊下げ方向へ離隔した位置に配される。よって、フード付き被吊物を第１吊体１に掛止して吊下げることができるとともに、フードを第２吊体３に掛止して吊下げることができる。
【００３２】
また、第２吊体３は可撓に形成されているため、第２吊体３を曲げることにより、該第２吊体３の連結体２に対する出っ張り長さ、向き等を容易に変更することができる。よって、フードの大きさ及び形態が異なるフード付き衣服、タートルネック付き衣服であっても、フード部、タートルネック部の形崩れが生じ難い状態で吊下げることが可能である。
【００３３】
また、図１に示すように第１吊体１及び第２吊体３間の寸法が長くなっている形態から、第１吊体１及び第２吊体３間の寸法が短くなる形態に変更される場合、図３に示すように第２連結部材２ｂが枢軸２２を中心として回動されつつ、第１連結部材２ａが下杆部１ａ側へ回動され、図２に示すように第１連結部材２ａの収容溝２３ａに第２連結部材２ｂが収容され、第２吊体３が第１吊体１の上杆部１ｃ，１ｃに沿って配され、第２吊体３が第１吊体１と重なる。
【００３４】
また、第１吊体１の下杆部１ａにバスタオル等の比較的広幅の被吊物が吊下げられる場合、ずれ防止片１１，１１と下杆部１ａとの間で被吊物の幅方向両側部を挟むことができ、被吊物がずり落ちるのを防ぐことができる。また、第１吊体１の上杆部１ｃ，１ｃに下着が吊下げられる場合、下着の首部をずれ防止片１２，１２に引掛けることができる。
【００３５】
実施の形態２
図４は吊具の他の構成を示す一部を分解した斜視図、図５は吊具の第２吊体３が使用されるときの形態を示す斜視図、図６は吊具の第２吊体３が使用されないときの形態を示す斜視図である。
【００３６】
図４乃至６に示した吊具は、第１吊体１に対して回動を可能とした連結体２を備える構成に代えて、第１吊体１に対して上下方向への摺動を可能とした連結体５を備える構成としたものである。第１吊体１における上杆部１ｃ，１ｃの中央部には摺動凹部１３ａを有する保持部１３が設けられ、該保持部１３の摺動凹部１３ａに連結体５が上下方向への摺動を可能に保持、換言すると連結されている。
【００３７】
台形環状をなす第１吊体１の上杆部１ｃ，１ｃの長手方向両側には下杆部１ａに向けて窪み、第２吊体３の両端部が収容される凹部１４，１４が設けられている。
【００３８】
杆状をなす第２吊体３の中央部にはフック部４が一体に設けられ、両端部には下向きに屈曲する屈曲先部３２，３２が設けられ、該屈曲先部３２，３２が凹部１４，１４に収容されるように構成されている。
【００３９】
保持部１３は、上杆部１ｃ，１ｃと一体成形等により上杆部１ｃ，１ｃに固定され、吊下げ方向と直交する側が開放された基体１３ｂと、該基体１３ｂに雄螺子等の取付手段により取付けられる蓋体１３ｃとを備え、上杆部１ｃ，１ｃ及び下杆部１ａの間に配されている。基体１３ｂの内側には上杆部１ｃ，１ｃ側が開放された摺動凹部１３ａが設けられている。摺動凹部１３ａの開放口には、抜止凸部１３ｄ，１３ｄが設けられ、連結体５が抜出るのを防ぐように構成されている。
【００４０】
連結体５は、倒立Ｕ字形をなし摺動凹部１３ａに嵌入されている基部５１と、該基部５１の中央部に結合されている杆状部５２とを有し、該杆状部５２の先端が第２吊体３に結合されている。基部５１の先端部には抜止凸部１３ｄ，１３ｄに係合することが可能な係合部５３，５３が設けられている。杆状部５２の先端側には、摺動凹部１３ａの開放口の一部を閉じる閉塞凸部５４が一体に設けられている。
【００４１】
以上のように構成された吊具は、台形環状をなす第１吊体１の上杆部１ｃ，１ｃに、摺動凹部１３ａを有する保持部１３が設けられ、該保持部１３の摺動凹部１３ａに連結体５が上下方向への摺動を可能に連結され、該連結体５の杆状部５２に第２吊体３が結合されている。
【００４２】
フードのない一般の被吊物が吊下げられる場合、図６に示すように連結体５が保持部１３の摺動凹部１３ａに収容され、第２吊体３が第１吊体１の上杆部１ｃ，１ｃに沿って配され、第２吊体３の屈曲先部３２，３２が上杆部１ｃ，１ｃの凹部１４，１４に収容され、第２吊体３が第１吊体１と重なっており、フック部４が上杆部１ｃ，１ｃの近傍から該上杆部１ｃ，１ｃの上側に配されている。よって、フードのない一般の被吊物を第２吊体３に邪魔されることなく第１吊体１に掛止して吊下げることができる。
【００４３】
フード付き被吊物が吊下げられる場合、図５に示すように連結体５が保持部１３の摺動凹部１３ａから上方へ抜き出され、係合部５３，５３が抜止凸部１３ｄ，１３ｄに係合して連結体５の上方への摺動が規制され、第１吊体１及び第２吊体３間の寸法が長くなり、第２吊体３が第１吊体１の上方へ離隔した位置に配される。よって、フード付き被吊物を第１吊体１に掛止して吊下げることができるとともに、フードを第２吊体３に掛止して吊下げることができる。
【００４４】
また、図５に示すように第１吊体１及び第２吊体３間の寸法が長くなっている形態から、第１吊体１及び第２吊体３間の寸法が短くなる形態に変更される場合、連結体５を吊下げ方向へ摺動させることにより、該連結体５が摺動凹部１３ａに収容され、図６に示すように第２吊体３が第１吊体１の上杆部１ｃ，１ｃに沿って配され、第２吊体３が第１吊体１と重なる。
その他の構成及び作用は実施の形態１と同様であるため、同様の部品については同じ符号を付し、その詳細な説明及び作用の説明を省略する。
【００４５】
尚、以上説明した実施の形態では、フード付き被吊物が吊下げられる場合について説明したが、その他、タートルネック付き被吊物が吊下げられる場合には、タートルネック部を第２吊体３の先端部に掛止めすることができる。
【００４６】
また、以上説明した実施の形態では、第２吊体３が連結体２，５に結合されている構成としたが、その他、第２吊体３は連結体２，５と分離され、吊具を使用する者が第２吊体３を連結体２，５に結合する構成としてもよい。また、連結体２，５についても、吊具を使用する者が連結体２，５を第１吊体１に結合する構成としてもよい。
【００４７】
また、以上説明した実施の形態では、第１吊体１及び第２吊体３間の寸法を変更するための変更手段として、連結体２が回動する構成、又は連結体５が摺動する構成としたが、その他、例えば第１連結部材２ａが第１吊体１に回動を可能に保持され、該第１連結部材２ａに第２連結部材２ｂが上下方向への摺動を可能に連結され、第１連結部材２ａの回動及び第２連結部材２ｂの摺動により前記寸法を変更することができるように構成してもよい。
【００４８】
また、以上説明した実施の形態では、第２吊体３の全体が可撓性を有する構成としたが、その他、第２吊体３は、長手方向の一部に可撓部を有し、可撓部から曲げることができる構成としてもよい。
【符号の説明】
【００４９】
１    第１吊体
２，５    連結体
２ａ  第１連結部材
２ｂ  第２連結部材
２３ａ  収容溝
３    第２吊体
【図１】
0005517247.tif 000002
【図２】
0005517247.tif 000003
【図３】
0005517247.tif 000004
【図４】
0005517247.tif 000005
【図５】
0005517247.tif 000006
【図６】
0005517247.tif 000007